(57)【特許請求の範囲】
【請求項１】
リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにした車体後部の電気機器の搭載構造において、
前記スペアタイヤハウスの底部上面に接合される直線状の第１ブラケット及び第２ブラケットを間隔を空けて平行に配置するとともに、前記第１ブラケット及び前記第２ブラケットの上に前記電気機器を設置し、これにより前記冷却用のフィンと前記第１ブラケット及び前記第２ブラケットとを平行に位置させ、前記第１ブラケット及び前記第２ブラケットと前記電気機器とで囲まれた車両前後の開口部のうち、一方の開口部の近傍に前記送風機を配置し、前記第１ブラケット及び前記第２ブラケットの少なくとも一方を前記メンバ及び前記スペアタイヤハウスと共に接合したことを特徴とする車体後部の電気機器の搭載構造。
【請求項２】
前記第１ブラケット及び前記第２ブラケットは、前記メンバと平行に配置され、前記第１ブラケット及び前記第２ブラケットの少なくとも一方が、前記メンバと重なるように配置されていることを特徴とする請求項１に記載の車体後部の電気機器の搭載構造。
【請求項３】
前記第１ブラケット、前記第２ブラケット及び前記メンバは、左右両側にフランジ部を有する断面ハット形状に形成され、前記第１ブラケット及び前記第２ブラケットの少なくとも一方で、左右両側の一方もしくは両方のフランジ部と、前記メンバの左右両側の一方もしくは両方のフランジ部とが重なるように配置され、これら重ねられたフランジ部が、前記スペアタイヤハウスと共に３枚重ね合わせられた状態で接合されていることを特徴とする請求項２に記載の車体後部の電気機器の搭載構造。
【請求項４】
前記第１ブラケット及び前記第２ブラケットは、前記メンバと直交する方向に配置され、前記第１ブラケット及び前記第２ブラケットが、前記メンバと部分的に重なるように配置されていることを特徴とする請求項１に記載の車体後部の電気機器の搭載構造。
【請求項５】
前記第１ブラケット、前記第２ブラケット及び前記メンバは、左右両側にフランジ部を有する断面ハット形状に形成され、前記第１ブラケット及び前記第２ブラケットのフランジ部と前記メンバのフランジ部とが重なる位置で、前記スペアタイヤハウスと共に３枚重ね合わせられた状態で接合されていることを特徴とする請求項４に記載の車体後部の電気機器の搭載構造。
【請求項６】
リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにした車体後部の電気機器の搭載構造において、
前記スペアタイヤハウスの底部上面に、上方へ向かって凸形状となる直線状の第１ビード及び第２ビードを間隔を空けて平行に設けるとともに、前記第１ビード及び前記第２ビードの上に前記電気機器を設置し、これにより前記冷却用のフィンと前記第１ビード及び前記第２ビードとを平行に位置させ、前記第１ビード及び前記第２ビードと前記電気機器とで囲まれた車両前後の開口部のうち、一方の開口部の近傍に前記送風機を配置し、前記第１ビード及び前記第２ビードの少なくとも一方を前記メンバに重なるように配置したことを特徴とする車体後部の電気機器の搭載構造。
【発明の詳細な説明】
【技術分野】
【０００１】
本発明は、自動車の車体後部の電気機器の搭載構造に関する。
【背景技術】
【０００２】
近年、地球環境に配慮して、ガソリンエンジンの自動車と共に、プラグイン・ハイブリッド車（ＨＥＶ）や電気自動車（ＥＶ）などが提供されている。これら自動車には、電動モータに電力を供給し、かつ外部電源からの電力制御を行うバッテリー充電用の充電器（電気機器）が搭載されている。このような充電器としては、比較的容量が大きく、しかも重量の大きいものがある上、使用によって高温となり冷却を必要とするという特質を有しているものがある。【０００３】
そのため、充電器を搭載する自動車では、車体下部などに比較的大きなスペースで剛性を高めた特別な構造の収納部を設けたり（例えば、特許文献１）、あるいは、走行風を利用するダクトなどを設けて充電器を冷却したり（例えば、特許文献２）することが行われている。
【先行技術文献】
【特許文献】
【０００４】
【特許文献１】特開平７−５２８３４号公報
【特許文献２】特開２００６−１５８６２号公報
【発明の概要】
【発明が解決しようとする課題】
【０００５】
しかしながら、上述した従来の充電器の搭載構造では、車体下部などに比較的大きな収納スペースを設けるとともに、専用の部品で剛性を高める必要があるので、設計の自由度が無くなる上に、専用の車体構造を採用しなければならず、コスト高を招くという問題があった。また、従来の充電器の冷却システムでは、車体構造が複雑になるだけでなく、搭載した充電器を十分に冷却することができないという問題があった。【０００６】
本発明はこのような実状に鑑みてなされたものであって、その目的は、既存のスペアタイヤハウスの空間を利用することにより設計の自由度及び収納スペースを確保し、コスト高を招くことなく搭載箇所の剛性を高め、車体振動を防ぐとともに、充電器などの電気機器を十分に冷却することが可能な車体後部の電気機器の搭載構造を提供することにある。
【課題を解決するための手段】
【０００７】
上記従来技術の有する課題を解決するために、本発明は、リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにした車体後部の電気機器の搭載構造において、前記スペアタイヤハウスの底部上面に接合される直線状の第１ブラケット及び第２ブラケットを間隔を空けて平行に配置するとともに、前記第１ブラケット及び前記第２ブラケットの上に前記電気機器を設置し、これにより前記冷却用のフィンと前記第１ブラケット及び前記第２ブラケットとを平行に位置させ、前記第１ブラケット及び前記第２ブラケットと前記電気機器とで囲まれた車両前後の開口部のうち、一方の開口部の近傍に前記送風機を配置し、前記第１ブラケット及び前記第２ブラケットの少なくとも一方を前記メンバ及び前記スペアタイヤハウスと共に接合している。【０００８】
また、本発明において、前記第１ブラケット及び前記第２ブラケットは、前記メンバと平行に配置され、前記第１ブラケット及び前記第２ブラケットの少なくとも一方が、前記メンバと重なるように配置されている。【０００９】
さらに、本発明において、前記第１ブラケット、前記第２ブラケット及び前記メンバは、左右両側にフランジ部を有する断面ハット形状に形成され、前記第１ブラケット及び前記第２ブラケットの少なくとも一方で、左右両側の一方もしくは両方のフランジ部と、前記メンバの左右両側の一方もしくは両方のフランジ部とが重なるように配置され、これら重ねられたフランジ部が、前記スペアタイヤハウスと共に３枚重ね合わせられた状態で接合されている。【００１０】
そして、本発明において、前記第１ブラケット及び前記第２ブラケットは、前記メンバと直交する方向に配置され、前記第１ブラケット及び前記第２ブラケットが、前記メンバと部分的に重なるように配置されている。
しかも、本発明において、前記第１ブラケット、前記第２ブラケット及び前記メンバは、左右両側にフランジ部を有する断面ハット形状に形成され、前記第１ブラケット及び前記第２ブラケットのフランジ部と前記メンバのフランジ部とが重なる位置で、前記スペアタイヤハウスと共に３枚重ね合わせられた状態で接合されている。【００１１】
また、本発明は、リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにした車体後部の電気機器の搭載構造において、前記スペアタイヤハウスの底部上面に、上方へ向かって凸形状となる直線状の第１ビード及び第２ビードを間隔を空けて平行に設けるとともに、前記第１ビード及び前記第２ビードの上に前記電気機器を設置し、これにより前記冷却用のフィンと前記第１ビード及び前記第２ビードとを平行に位置させ、前記第１ビード及び前記第２ビードと前記電気機器とで囲まれた車両前後の開口部のうち、一方の開口部の近傍に前記送風機を配置し、前記第１ビード及び前記第２ビードの少なくとも一方を前記メンバに重なるように配置している。
【発明の効果】
【００１２】
上述の如く、本発明に係る車体後部の電気機器の搭載構造は、リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにしたものであって、前記スペアタイヤハウスの底部上面に接合される直線状の第１ブラケット及び第２ブラケットを間隔を空けて平行に配置するとともに、前記第１ブラケット及び前記第２ブラケットの上に前記電気機器を設置し、これにより前記冷却用のフィンと前記第１ブラケット及び前記第２ブラケットとを平行に位置させ、前記第１ブラケット及び前記第２ブラケットと前記電気機器とで囲まれた車両前後の開口部のうち、一方の開口部の近傍に前記送風機を配置し、前記第１ブラケット及び前記第２ブラケットの少なくとも一方を前記メンバ及び前記スペアタイヤハウスと共に接合しているので、次のような効果を得ることができる。
すなわち、本発明の搭載構造によれば、設計の自由度及び収納スペースを確保しながら、第１ブラケット及び第２ブラケットでスペアタイヤハウスの底部を補強して面剛性を向上させることが可能となり、搭載した電気機器への振動伝達や機器本体の歪み及び変形を防止できるとともに、スペアタイヤハウスを利用することによる問題を低減できる。しかも、本発明の搭載構造によれば、第１ブラケット及び第２ブラケットが電気機器への冷却風の通路の壁として機能し、他の部品で形成する必要がなく、部品点数の削減とコストダウンを図ることができる。【００１３】
本発明において、前記第１ブラケット及び前記第２ブラケットは、前記メンバと平行に配置され、前記第１ブラケット及び前記第２ブラケットの少なくとも一方が、前記メンバと重なるように配置されているので、車両前後方向の車体剛性を向上させることができ、車両後方からの荷重によりスペアタイヤハウスやバックパネルが変形する場合でも、バックパネルが車両前方へ移動して電気機器に接触したりするのを防止でき、電気機器の損傷を低減することができる。【００１４】
また、本発明において、前記第１ブラケット、前記第２ブラケット及び前記メンバは、左右両側にフランジ部を有する断面ハット形状に形成され、前記第１ブラケット及び前記第２ブラケットの少なくとも一方で、左右両側の一方もしくは両方のフランジ部と、前記メンバの左右両側の一方もしくは両方のフランジ部とが重なるように配置され、これら重ねられたフランジ部が、前記スペアタイヤハウスと共に３枚重ね合わせられた状態で接合されているので、車両前後方向の車体剛性をより一層図ることができる。【００１５】
さらに、本発明において、前記第１ブラケット及び前記第２ブラケットは、前記メンバと直交する方向に配置され、前記第１ブラケット及び前記第２ブラケットが、前記メンバと部分的に重なるように配置されているので、これら２つのブラケットとメンバとにより平面視で格子形状となり、スペアタイヤハウスの底部を車両前後方向及び車両幅方向（左右方向）の両方向で剛性向上を図ることができる。しかも、このような配置は、任意の振動モードに対して効果があり、全般的に電気機器への振動対策として効果を発揮できる。【００１６】
しかも、本発明において、前記第１ブラケット、前記第２ブラケット及び前記メンバは、左右両側にフランジ部を有する断面ハット形状に形成され、前記第１ブラケット及び前記第２ブラケットのフランジ部と前記メンバのフランジ部とが重なる位置で、前記スペアタイヤハウスと共に３枚重ね合わせられた状態で接合されているので、車両前後方向及び車両幅方向におけるスペアタイヤハウスの底部の剛性をより一層向上させることができる。【００１７】
また、本発明に係る車体後部の電気機器の搭載構造は、リヤフロアパネルにスペアタイヤハウスを設け、該スペアタイヤハウスの底部下面に、車両前後方向に沿って延びるメンバを設け、前記スペアタイヤハウス内に冷却用のフィンが下側に設けられた電気機器を搭載するとともに、前記スペアタイヤハウス内に前記電気機器を冷却するための送風機を設け、該送風機からの空気を前記電気機器の前記冷却用のフィンに導くようにしたものであって、前記スペアタイヤハウスの底部上面に、上方へ向かって凸形状となる直線状の第１ビード及び第２ビードを間隔を空けて平行に設けるとともに、前記第１ビード及び前記第２ビードの上に前記電気機器を設置し、これにより前記冷却用のフィンと前記第１ビード及び前記第２ビードとを平行に位置させ、前記第１ビード及び前記第２ビードと前記電気機器とで囲まれた車両前後の開口部のうち、一方の開口部の近傍に前記送風機を配置し、前記第１ビード及び前記第２ビードの少なくとも一方を前記メンバに重なるように配置しているので、上記発明と同様の効果を得ることができる上、部品点数の削減によって部品コストをより一層低減できる。
【図面の簡単な説明】
【００１８】
【図１】本発明の実施形態に係る電気機器の搭載構造が適用された車体後部において、スペアタイヤハウスの底部上面に接合されている第１ブラケット及び第２ブラケット上に充電器を設置した状態を示す斜視図である。
【図２】図１において、フックメンバが設けられたスペアタイヤハウスの底部を下方から見た斜視図である。
【図３】本発明の実施形態に係る電気機器の搭載構造が適用された車体後部において、スペアタイヤハウスの底部上面に第１ブラケット及び第２ブラケットを接合した状態を示す斜視図である。
【図４】図３における第１ブラケット及び第２ブラケットを拡大して示す斜視図である。
【図５】図２において、スペアタイヤハウスの底部上面に設けられる第２ブラケットのフランジ部と、底部下面に設けられるフックメンバのフランジ部とを３枚重ねで接合している状態を示す斜視図である。
【図６】図１における充電器の冷却用のフィンに送風機からの空気を送っている状態を示す斜視図である。
【図７】図１における充電器を概念的に示す正面図である。
【図８】本発明の他の実施形態に係る電気機器の搭載構造が適用された車体後部において、スペアタイヤハウスの底部上面に第１ブラケット及び第２ブラケットを接合した状態を示す斜視図である。
【発明を実施するための形態】
【００１９】
以下、本発明を図示の実施の形態に基づいて詳細に説明する。
図１〜図７は本発明の実施形態に係る車体後部の電気機器の搭載構造を示すものである。
【００２０】
本発明の実施形態に係る搭載構造が適用される自動車は、プラグイン・ハイブリッド車や電気自動車であり、車体後部には、図１、図６及び図７に示すように、装備される電気機器の１つとして、電動モータに電力を供給し、かつ外部電源からの電力制御を行うバッテリー充電用の充電器１が搭載されている。
この充電器１は、空冷を必要とする電気機器であり、機器本体の下側には、下方へ向かって突出する複数の冷却用のフィン２が幅方向に一定の間隔を空けて設けられ、これらフィン２に後述の送風機から空気が送られることによって、充電器１の全体が冷却されるようになっている。なお、充電器１は、充電ケーブル３を備えており、この充電ケーブル３は、車両後方に向かって延び、リヤバンパメンバ４に設けられた図外の充電コネクタモジュールに接続されている。
【００２１】
本実施形態の充電器１は、車体後部のリヤフロアパネル５に設けられた既存のスペアタイヤハウス６の空間を利用して搭載されるように構成されている。このスペアタイヤハウス６は、横置きに配置したスペアタイヤを収納することが可能な大きさ及び形状で、下方へ向かって窪んだ収納凹部であり、その底部６ａは、ほぼ平坦面に形成されている。そして、スペアタイヤハウス６の底部６ａの下面には、図２及び図７に示すように、スペアタイヤハウス６の前部付近からスペアタイヤハウス６の後部を越えてリヤバンパメンバ４の付近まで、車両前後方向に沿って延びるフックメンバ７が設けられている。
このフックメンバ７は、左右両側にフランジ部７ａを有する断面ハット形状に形成されており、これらフランジ部７ａをスペアタイヤハウス６の底部６ａの下面に重ねた状態で溶接することによって接合されている。フックメンバ７の底面部の車両後方寄りの角部には、牽引フック８が取付けられている。
【００２２】
一方、本実施形態に係るスペアタイヤハウス６の底部６ａの上面の中間部分には、図１及び図３〜図７に示すように、直線状の第１ブラケット９及び第２ブラケット１０が車幅方向（左右方向）に一定の間隔を空けて平行に配置され、かつ、これら第１ブラケット９及び第２ブラケット１０は、車両前後方向に沿って延在している。
第１ブラケット９及び第２ブラケット１０は、左右両側にフランジ部９ａ，１０ａを有する断面ハット形状にそれぞれ形成されており、これらフランジ部９ａ，１０ａをスペアタイヤハウス６の底部６ａの上面に重ねた状態で溶接することによって、接合されている。しかも、第１ブラケット９及び第２ブラケット１０は、フックメンバ７と平行に配置されているとともに、車幅方向右側に位置する一方の第２ブラケット１０は、フックメンバ７と重なるように配置されている。すなわち、第２ブラケット１０の左右両側のフランジ部１０ａと、フックメンバ７の左右両側のフランジ部７ａとは、互いに重なるように配置されており、これら重ねられたフランジ部１０ａ，７ａが、スペアタイヤハウス６の底部６ａと共に３枚重ね合わせられた状態で、複数の箇所Ｗを溶接することによって接合されている。
【００２３】
また、第１ブラケット９及び第２ブラケット１０の上面部９ｂ，１０ｂには、前後左右に設けられた取付片１１を介して、充電器１が設置されるように構成されている。このため、第１ブラケット９及び第２ブラケット１０の上面部９ｂ，１０ｂの前後箇所には、締付ボルト１２を螺入させるボルト孔１３が穿設されており、各取付片１１をブラケット９，１０の上面部９ｂ，１０ｂに載せて取付片１１のボルト孔（図示せず）とブラケット９，１０のボルト孔１３との位置合わせを行い、この状態で、締付ボルト１２を螺入させて締付けることにより、充電器１が第１ブラケット９及び第２ブラケット１０の上面部９ｂ，１０ｂに固定されるようになっている。
【００２４】
充電器１が第１ブラケット９及び第２ブラケット１０の上面部９ｂ，１０ｂに設置された状態では、充電器１の冷却用のフィン２と第１ブラケット９及び第２ブラケット１０とが互いに平行に位置している。また、第１ブラケット９及び第２ブラケット１０と充電器１とで囲まれた車両前後の箇所には、開口部１４がそれぞれ形成されており、これら２つの開口部１４のうち、車両前方側の開口部１４の近傍には、送風機１５が配置されている。
この送風機１５は、充電器１を冷却するため、スペアタイヤハウス６内の前部に設けられ、スペアタイヤハウス６へ向かって車両前後方向に延在する送風ダクト１５ａを備えている。すなわち、送風機１５は、ダクト１５ａから空気を吸い込み、図６の矢印で示すように、開口部１４に向けて噴出させるように構成されており、空気が冷却用のフィン２に導かれることで、充電器１がフィン２により冷却されるようになっている。このとき、充電器１を支持する第１ブラケット９及び第２ブラケット１０は、冷却風が流れる箇所の左右の壁として機能し、冷却用のフィン２を通った空気が、一様に車両後方へ向かって流れるのを促している。
【００２５】
このように、本発明の実施形態に係る車体後部の電気機器の搭載構造においては、車両前後方向へ延び、左右両側にフランジ部７ａを有する断面ハット形状のフックメンバ７がスペアタイヤハウス６の底部６ａの下面に設けられているとともに、直線状でかつ左右両側にフランジ部９ａ，１０ａを有する断面ハット形状の第１ブラケット９及び第２ブラケット１０がスペアタイヤハウス６の底部６ａの上面に一定の間隔を空けて平行に設けられ、第２ブラケット１０の左右両側のフランジ部１０ａとフックメンバ７の左右両側のフランジ部７ａとがスペアタイヤハウス６を間に置いて３枚重ねで接合されているため、スペアタイヤハウス６の底部６ａを補強して面剛性を向上させることができる。
したがって、本実施形態の搭載構造によれば、容量及び重量の大きい充電器１が取付片１１を介して第１ブラケット９及び第２ブラケット１０の上面部９ｂ，１０ｂにボルト締めされることにより、スペアタイヤハウス６内に搭載されても、自動車運転時に生じる振動が充電器１に伝達されるのを低減できる。また、車両後方からの荷重によりスペアタイヤハウス６が変形し、車両前方へ移動する場合にも、充電器１が変形しあるいは損傷するのを防止することができる。
これにより、底部６ａが平坦面である剛性不足のスペアタイヤハウス６内の空間を利用して、重量などの大きい充電器１を設置する場合の問題を低減させることができる。例えば、（１）自動車運転時の振動変形モードでスペアタイヤハウス６の底部６ａから充電器１に振動が伝わる点、（２）自動車運転時の上下動により充電器１の上下方向の慣性力がスペアタイヤハウス６の底部６ａを変形させる点、（３）車両後方からの荷重によりスペアタイヤハウス６が変形し、スペアタイヤハウス６の壁部などが充電器１に接触する点、（４）車両後方からの荷重によりスペアタイヤハウス６が大きく変形し、充電器１に大きな荷重が掛かる点、などの問題を低減できる。これらの点は、単位重量が比較的軽く、振動が伝わっても弊害とならないスペアタイヤであれば、問題が生じないものである。
【００２６】
また、本実施形態の搭載構造では、充電器１が第１ブラケット９及び第２ブラケット１０の上面部９ｂ，１０ｂに設置され、これら充電器１と第１ブラケット９及び第２ブラケット１０とで囲まれた開口部１４の近傍に送風機１５が配置されているため、専用の部品を使用することなく、送風機１５から噴出させる空気を下側の冷却用フィン２に効率的に導き、充電器１を効果的に冷却することができる。
【００２７】
図８は本発明の他の実施形態に係る電気機器の搭載構造が適用された車体後部を示すものである。
この実施形態の搭載構造においては、図８に示すように、第１ブラケット９及び第２ブラケット１０がフックメンバ７と直交する車両幅方向に配置され、第１ブラケット９及び第２ブラケット１０がフックメンバ７と部分的に重なるように配置されている。しかも、第１ブラケット９及び第２ブラケット１０のフランジ部９ａ，１０ａとフックメンバ７のフランジ部７ａとが重なる箇所Ｗの位置であって、スペアタイヤハウス６の底部６ａと共に３枚重ね合わせらされた状態で溶接により接合されている。なお、送風機１５などは、変更する充電器１の設置向きに対応して、冷却用のフィン２に対向すべく配置されている。その他の構成は上記実施形態と同様であり、これと同一の部材は同一の符号を付して説明を省略する。
【００２８】
本発明の他の実施形態に係る車体後部の電気機器の搭載構造においては、第１ブラケット９及び第２ブラケット１０がフックメンバ７と直交する方向に配置され、第１ブラケット９及び第２ブラケット１０がフックメンバ７と部分的に重なるように配置され、かつ第１ブラケット９及び第２ブラケット１０のフランジ部９ａ，１０ａとフックメンバ７のフランジ部７ａとが重なる位置で、スペアタイヤハウス６の底部６ａと共に３枚重ねの状態で接合され、平面視で格子形状となっているので、車両前後方向及び車両幅方向の全領域において、スペアタイヤハウス６の底部６ａの剛性を向上させることができる。その他の作用効果は上記実施形態と同様である。
【００２９】
以上、本発明の実施の形態につき述べたが、本発明は既述の実施の形態に限定されるものではなく、本発明の技術的思想に基づいて各種の変形及び変更が可能である。
例えば、既述の実施形態では、第２ブラケット１０の左右両側のフランジ部１０ａとフックメンバ７の左右両側のフランジ部７ａとを重ねて接合したが、第１ブラケット９の左右両側のフランジ部９ａとフックメンバ７の左右両側のフランジ部７ａとを重ねて接合しても良い。また、第１ブラケット９もしくは第２ブラケット１０の左右いずれか一方の側のフランジ部９ａとフックメンバ７の左右いずれか一方の側のフランジ部７ａとを重ねて接合しても良い。
【００３０】
また、既述の実施形態における第１ブラケット９及び第２ブラケット１０に代えて、スペアタイヤハウス６の底部６ａの上面に、上方へ向かって凸形状となるように一体的に形成した直線状の第１ビード及び第２ビードを用い、これら第１ビード及び第２ビードの少なくとも一方がフックメンバ７に重なるように配置しても良い。この搭載構造によれば、部品点数を削減し、部品コストを低減できる。
【符号の説明】
【００３１】
１  充電器（電気機器）
２  冷却用のフィン
５  リヤフロアパネル
６  スペアタイヤハウス
６ａ  底部
７  フックメンバ（メンバ）
９  第１ブラケット
９ａ  フランジ部
９ｂ  上面部
１０  第２ブラケット
１０ａ  フランジ部
１０ｂ  上面部
１１  取付片
１２  締付ボルト
１３  ボルト孔
１４  開口部
１５  送風機
【図１】
0005532128.tif 000002
【図２】
0005532128.tif 000003
【図３】
0005532128.tif 000004
【図４】
0005532128.tif 000005
【図５】
0005532128.tif 000006
【図６】
0005532128.tif 000007
【図７】
0005532128.tif 000008
【図８】
0005532128.tif 000009